(57)【要約】【課題】遊技機やゲーム機の光装飾装置で、遊戯結果の状況を明快に遊戯者に認知させるために、光装飾体自体が強力な発光光源であると共に図柄や記号・文字などに構成でき、簡単かつ安価な光装飾装置を提供する。【解決手段】光装飾体1はアクリルなどの透明な光学部材から出来ており、好ましくは内面間を全反射し、装飾体1の射出口2に効率よく伝送される。当該光装飾体の断面の内側3は、円錐形状に構成することにより、外側壁4との間隙を射出口2に向って狭く構成することによって、光源6からの光線を内面反射で伝送して効率よく射出口2に集光し拡散的に射出させる。内面反射は全反射ではなくミラー反射にしてもよい。複数の光源を設置させる場合、円錐形状または多角錐状の反射部材（14、15、16）を光源6と光装飾体1の間に配設させることにより、多様な光装飾効果を持たせることができる。【選択図】図１
2008272172.tif 000002
【特許請求の範囲】
【請求項１】
光源の前方に透明な光装飾体1の入射口5を配設し、上記光装飾体１の断面      
が放射状に構成すると共に、光源の発散光は上記断面の内部を反射して上記
光装飾体1の射出口2に到達し光線を効率よく射出させるように構成され、
当該の射出口2が図柄や記号・文字の輪郭を形成していることを特徴とする光装飾装置。
【請求項２】
装飾体1の射出口2の面が拡散状に形成したことを特徴とする請求項１に記
載の光装飾装置。
【請求項３】
装飾体1の入射口5の周辺部に取付け部12を形成したことを特徴とする請求項1〜2に記載の光装飾装置。
【請求項４】
光装飾体1の断面が放射状に構成されており、内面部3が円錐状の窪みにおいて、光源6の中心軸と円錐状の断面とのなす角θとし、円錐部内面の全反射角θ’とした時、θ＜90°−θ’  の条件を満足することを特徴とする特許請求項1に記載の光装飾装置。
【請求項５】
光装飾体1の円錐状内面3と側面部4に、少なくとも円錐状内面3側の一部に光学的反射機能を具備させた事を特徴とする特許請求項1に記載の光装飾装置。
【請求項６】
光装飾体1の射出口2の形状がハート型8であることを特徴とする特許請求項1に記載の光装飾装置。
【請求項７】
光装飾体1の射出口2の形状が星型9であることを特徴とする特許請求項1に記載の光装飾装置。
【請求項８】
光装飾体1の射出口2の形状が花模様10であることを特徴とする特許請求項1に記載の光装飾装置。
【請求項９】
光装飾体1の射出口2の形状が風車型11であることを特徴とする特許請求項1に記載の光装飾装置。
【請求項１０】
光源6’ が複数の点光源に配置構成したことを特徴とする特許請求項6 〜 9
に記載の光装飾装置。
【請求項１１】
円錐状または多角錐状の窪み部を形成した透明部材（14、15、16）を、光装飾体1と光源部の間に配設し、当該透明部材の側面部に光源を配設し、光線を光装飾体の入射口部へ反射伝送、集光させたことを特徴とする特許請求項1〜6のいずれか1項に記載の光装飾装置。
【請求項１２】
複数の光源6’ を順次に点灯点滅させる電源制御回路部を有することを特徴とする特許請求項1に記載の光装飾装置。
【発明の詳細な説明】
【技術分野】
【０００１】
本発明はパチンコ遊技機や各種ゲーム機などの光装飾装置に関し、光装飾表示体の図柄や記号・文字などを簡単な光装飾体で構成した装飾装置に関する。
【背景技術】
【０００２】
従来よりパチンコ機や各種ゲーム機の光装飾装置には光源としてLEDが多く使われており、多様な装飾表示方法が提案されている。
特開2004-33441号公報では光ファイバで装飾体の形状を構成させているが、装置が大仕掛けでありコストが非常に高くなる。
また、特開2006-43013号広報では、２枚の回転板それぞれに形成された模様を回転駆動させ、干渉によるモアレ像を表示させている。駆動機構が必要であると共に、図柄が画一的で変化に乏しい。
さらに、特開2002-210090号公報は、図柄が前後の２種に分離させ、光源側の図柄を光源の光の影として前面の図柄に重畳させている。この方式も、構成が複雑であるだけでなく、光学的に状況変化を強調させるのは困難である。
また、光の強弱や点滅、音響効果で、遊戯者にゲームの状況変化をより明確に知らしめる演出機能が各種提案されている。
【特許文献１】特開2004-3344号公報
【特許文献２】特開2006-43013号広報
【特許文献３】特開2002-210090号公報
【発明の開示】
【発明が解決しようとする課題】
【０００３】
光装飾装置で、図柄を照明するような手段の場合、輝度を高くするのが困難で、図柄のコントラストも悪くぼやけた感じになり、ゲームや遊技機の状態を表示し喚起するのにアピール度が不足である。  例えば走馬灯のような感じで、光源の光を強くしても図柄をはっきりと表示するのは困難である。
遊技機の状態（勝負の結果や大当たり、ヒットなど）を明快に遊戯者に認知させるため、装飾表示体の簡単な図柄そのものが強力な発光体となり、安価で、簡単に遊戯機に配置構成でき、光の点滅や光源色を変化させ、音響効果も簡単に同調させることができる光装飾装置を提供することにある。
【課題を解決するための手段】
【０００４】
本発明によれば、ゲームの結果を認知させる図柄を、例えば星型やハート型に設定する場合、その形状の輪郭部分から効率よく高輝度の光が発散するようにし、光源色と光の点滅で状況変化（ヒット）を強調させることができる。
そのために、光源からの発散光を効率よく、当該形状の末端まで伝送させるのに、高価な光ファイバではなく、内面反射で伝送する光装飾体を基本構成とする装置を提供することにより上述の課題を解決することができる。
内面反射の光装飾体1はアクリルなどの透明な光学部材からできており、好ましくは全反射で光装飾体1の射出口2に効率よく伝送される。
当該光装飾体の断面の内側3は、円錐形状に構成され、外側壁4と射出口2側に行くに従って間隔を狭く構成する事によって、射出口2に光を効率よく集光させると共に射出口2からの拡散性をよくすることが出来る。
光装飾体１の光源側の入射口5は、基板7上に配設された光源6の前方に隣接させ、光源の光線を効率よく光装飾体に受光できるように配設されている。光源6は例えばLEDのような発光体である。
光装飾体の入射口側の周辺部は、光源部6の取付け基板7に同設出来るよう取付け用の爪12が一体に形成されている。この爪12具備させることにより、基板上を自由簡単に設置させることができる。
光源部６に複数個の光源（LED）を配設し、光源の発光を順次に発光を同期させれば、当該図柄の輪郭が回転させて見させることもでき、さらにダイナミックに且つ視認性を高めることができる。
【発明の効果】
【０００５】
本発明になる光装飾体はアクリルなどの透明部材で、成型により安価に製造でき、組立も一端に基盤への取付け部を同時成型で簡単に構成でき、組立費もほとんど掛からなく、トータルコストは非常に安くできる。
複数の光源を、光装飾体の入射口へ導くプリズム部材を構成すれば、実施例のような「風車型」の発光状態を色分けや点滅の時間的位相をずらせて、風車を回転させて見させることもできる。
取付けが簡単に出来るので、図柄や記号・文字などの組合せや取替えも簡単であるので、遊技機を低コストで模様替え・新装状態に変えたり、遊戯者に飽きのこないように組み替えたり出来る。
【発明を実施するための最良の形態】
【０００６】
本発明の光装飾装置の原理を説明する。
図１は、分かりやすくするために本発明の図柄を円環とする。図１のAは斜視図で、Bはa---a’ 断面図である。
LEDなどの光源部６は基板７に取り付けられており、その上の透明なアクリルなどからなる光装飾体１に、光源の図示しない無数の拡散光線が入射する。光線は光装飾体１の内面を好ましくは内面全反射を繰り返し、図示するように円環状の末端の射出口2に到達する。上記末端を適度な拡散面にすることにより、自由に射出光の拡散性を具備させることが出来る。
図2は上述の円輪状の光装飾体の内面全反射させる原理図である。
円輪の中心軸に円錐状の窪みが構成されたようになっており、その断面を
図２に示している。光源6の中心軸と円錐面頂点部（断面）とのなす角をθとすると、
図のような円錐の頂点付近での全反射条件は次の条件を満足する。
θ  ＜ 90°− θ’        sinθ’ = 1/ n
但し、θ’ は全反射角、n は光装飾体の屈折率
また、円錐状の内面部３と外筒となる側面部４との間隔は、光源部側から
端面に向って好ましくは徐々に狭くなるように構成すると、端面での光の射出拡散性を変えることができる。  逆にθが大き過ぎると、光源からの光線は円錐の頂点近傍を全反射せず透過してしまい、射出口２からの光量損失になる。  円錐内部3と外筒の側面部4に光学反射材を塗布すれば
ミラーガイドの筒となり、同様の効果を持たすことが可能であるが、
コスト高にもなり、光吸収ロスもあるので、全反射に構成するのが
好ましい。
光装飾装置の光装飾体1の図柄・記号・文字などの他の実施例で、図3-Aはハート型8の斜視図である。  図4-Aは星型9の斜視図である。
その他、図5は花模様10を構成した図柄であり、図6は風車型11 やプロペラ型の図柄の実施例である。それぞれの基本構成は図1に示した原理に基づいている。
花模様10や風車型11の図柄においては、図5-B、図6-Bのように、光源のLEDを複数個設置 6’ し、図示しない発光時間位相回路を有する光源用電源回路により、点燈点滅を順次に位相をずらして発光させれば、花の色を変えながら花びらを回転させる事ができる。  風車やプロペラも回転させることができる。
次に、基板に取付け部材12を構成した実施形態を図7に示す。
基板には取付け爪12の取付け口13が開いており、そこに爪12を挿入し固定できるようになっている。爪12を板バネ状に構成すればワンタッチで挿入・取り外しが可能である。
上述のように、当該光装飾体は、アクリルなどの透明プラスチックを成型で製造するので、金型加工で一体形状にすることによって低コストで生産できる。
次に、光源部が複数個で且つ配置スペースが広く必要な場合の光源配設手段について説明する。  
実施形態を図8に示す。  パワーの強いLEDなど光源が大きく、しかも
装飾効果を良くするため、複数の大型光源を配設しなければならない時、
図8のような反射部材14を光装飾体1の光源部に隣設させる。  
図示する反射部材14は円錐状の窪みを有するプリズム構造になっており、周辺に並べた光源6’ の光線は図のように内面で全反射し、光装飾体1の入射口5に照射される。
当該反射部材14の円錐部の斜面を平面にして、四角錘15 や三角錘状16などの多面体にしても同様の効果が得られる。
【図面の簡単な説明】
【０００７】
【図１】本発明の実施形態（１）を示す光装飾装置の光装飾体の基本原理図
【図２】本発明の実施形態（１）の原理説明図
【図３】本発明の実施形態のハート型図柄の斜視図
【図４】本発明の実施形態の星型図柄の斜視図
【図５】本発明の実施形態の花模様図柄の正面図
【図６】本発明の実施形態の星型図柄の正面図
【図７】本発明の実施形態の基板取付け爪を有する断面図
【図８】本発明の実施形態の複数光源用の円錐状反射部材を示す構成図
【図９】本発明の実施形態の複数光源用の四角錘Aおよび三角錘状Bの反射部材を示す構成図
【符号の説明】
【０００８】
1…光装飾体（円形状）、2…射出口、3…円錐の内側部、4…外側壁、5…入射口
6…光源（ＬＥＤ）、7…基板、8…ハート型の光装飾体、9…星型の光装飾体、
10…花模様の光装飾体の射出口正面図、11…風車型の光装飾体の射出口正面図、
12…光装飾体の取付け爪、13…光装飾体の取付け穴、14…円錐状反射部材
15…四角錘状反射部材、16…三角錘状反射部材
【図１】
2008272172.tif 000003
【図２】
2008272172.tif 000004
【図３】
2008272172.tif 000005
【図４】
2008272172.tif 000006
【図５】
2008272172.tif 000007
【図６】
2008272172.tif 000008
【図７】
2008272172.tif 000009
【図８】
2008272172.tif 000010
【図９】
2008272172.tif 000011